(57)【要約】  【課題】  被写体に関連する情報を確実にユーザに提示すること。  【解決手段】  分類部６２は、撮像部２によって得られた撮像画像に基づいて、被写体３０（着用品及び付属品を含む）を形状、色合い、及び、シンボルマークのうち少なくとも何れかひとつによって分類する。被写体識別部６３は、分類部６２の分類結果に基づいて被写体３０を識別し、検索部６４は、被写体識別部６３の識別結果により所定のデータベース１４（又は２１）内のデータベース情報を検索し、被写体３０に関するデータベース情報がデータベース情報表示用のモニタ１２に出力される。また、通信部５によって被写体３０から識別情報を取得したときには、その識別情報によりデータベース情報が取得されてデータベース情報表示用のモニタ１２に出力される。【選択図】  図３
2006313433.tif 000002
【特許請求の範囲】
【請求項１】
被写体が撮像されている撮像画像に基づいて、前記被写体を形状、色合い、及び、シンボルマークのうち少なくとも何れかひとつによって分類する分類手段と、
所定のデータベースに保存されているデータベース情報であって、前記分類手段の分類結果により識別される前記被写体に関するデータベース情報を取得するデータベース情報取得手段と、
前記データベース情報取得手段によって取得された前記データベース情報を出力する出力手段と、
を備えたことを特徴とする電子機器。
【請求項２】
被写体から識別情報を取得する識別情報取得手段と、
所定のデータベースに保存されているデータベース情報であって、前記被写体から取得された前記識別情報により識別される前記被写体に関するデータベース情報を取得するデータベース情報取得手段と、
前記データベース情報取得手段によって取得された前記データベース情報を出力する出力手段と、
を備えたことを特徴とする電子機器。
【請求項３】
前記データベース情報は、前記被写体に関連する画像情報、音情報、テキスト情報、ベクタグラフィックスのアニメーション情報、又は、これらの組み合わせであることを特徴とする請求項１又は２に記載の電子機器。
【請求項４】
前記データベース情報を当該電子機器内の情報として保存する前記データベースとしての記憶手段を内蔵したことを特徴とする請求項１乃至３の何れか１項に記載の電子機器。
【請求項５】
前記記憶手段は、当該電子機器から取り出し可能な記録メディアであることを特徴とする請求項４に記載の電子機器。
【請求項６】
特定の場所に設置されている所定の情報送信端末から前記データベース情報を受信する通信手段を備えたことを特徴とする請求項１乃至５の何れか１項に記載の電子機器。
【請求項７】
前記被写体を撮像する撮像手段を備えた電子カメラであることを特徴とする請求項１乃至６の何れかに記載の電子機器。
【請求項８】
前記撮像手段によって得られた撮像画像を前記データベース情報と関連付けて保存することを特徴とする請求項７に記載の電子機器。
【発明の詳細な説明】
【技術分野】
【０００１】
本発明は電子機器に係り、特に被写体に関連する情報をユーザに提示し得る電子機器に関する。
【背景技術】
【０００２】
近年、デジタルスチルカメラ、デジタルビデオカメラ、あるいは、カメラ付き携帯電話といった電子カメラが普及してきた。
【０００３】
その一方で、被写体に関連する情報を検索するようにしたサーバも提案されている（特許文献１、２）。
【０００４】
例えば、特許文献１には、被写体を撮像して得た撮像画像（画像データ）を添付して電子メールを送信すると、撮像画像と予め登録されている標準パターンとを照合し、その標準パターンと関連付けられて管理されているデータベース情報を電子メールの送信元へ返送するようにしたサーバが記載されている。
【０００５】
また、被写体を撮像して得られた画像から、被写体の顔部分、髪の毛部分、服部分などを検出して、検索用のインデックス（例えば、顔の色、髪の毛の長さ、服の色などにより画像を検索するためのインデックスである）を生成するデジタルアルバムの作成装置も提案されている(特許文献３)。
【特許文献１】特開２００１−２８２８２５号公報
【特許文献２】特開２００４−１４５４１６号公報
【特許文献３】特開平１０−１２４６５５号公報
【発明の開示】
【発明が解決しようとする課題】
【０００６】
電子カメラは、一般に、被写体を撮像して記録する機能や表示する機能を有しているが、撮像画像自体を処理するのみであり、その画像をさらに有効に活用する手段が不足している。
【０００７】
例えば、テーマパークで楽しんでいるユーザや、観光地を旅しているユーザが、その時々のその場所で目的ごとに異なる各被写体に関連する有用な情報を、迅速かつ確実に入手して、知識を深めたり楽しむことは困難である。
【０００８】
なお、特許文献１、２に記載されたものは、ユーザの電子機器が撮像画像をサーバに送信してからサーバの検索結果がユーザの電子機器に返送されてくるまでの待ち時間（応答時間）が長く、結局、ユーザの楽しみを減滅させてしまうおそれがある。
【０００９】
このように応答時間がかかる要因としては、第１に、高解像度化して画像サイズが増大した撮像画像の転送時間の増大、第２に、ユーザの電子機器とサーバとの間の通信が無線通信で行われる場合には有線のみによる通信と比較して低速度であること、第３に、認識率が高い高度な画像認識アルゴリズムにより被写体を確実に特定するには高性能なサーバといえども処理時間を要すること、などが挙げられる。
【００１０】
また、被写体を誤認識したり認識できないような場合には、ユーザの電子機器から撮像画像をサーバに送信したとしても、被写体に関連する有用な情報をユーザは入手できないことになり、結局、ユーザの期待に反してしまう。
【００１１】
本発明はこのような事情に鑑みてなされたもので、被写体に関連する情報を迅速かつ確実にユーザに提示し得る電子機器を提供することを目的とする。
【課題を解決するための手段】
【００１２】
前記目的を達成するために、請求項１に記載の発明は、被写体が撮像されている撮像画像に基づいて、前記被写体を形状、色合い、及び、シンボルマークのうち少なくとも何れかひとつによって分類する分類手段と、所定のデータベースに保存されているデータベース情報であって、前記分類手段の分類結果により識別される被写体に関するデータベース情報を取得するデータベース情報取得手段と、前記データベース情報取得手段によって取得された前記データベース情報を出力する出力手段を備えたことを特徴とする電子機器を提供する。
【００１３】
なお、前記被写体には、被写体の着用品（例えば衣装、帽子など）や付属品が含まれるものとする。すなわち、被写体の形状には被写体の着用品の形状や付属品の形状が含まれ、被写体の色合いには被写体の着用品の色や付属品の色が含まれ、被写体のシンボルマークには被写体の着用品に付加されたシンボルマークや付属品に付加されたシンボルマークが含まれる。
【００１４】
この発明によれば、電子機器からサーバなどの外部の装置に対して撮像画像を通信により転送する必要がなくなるとともに、高性能が要求される高度な画像認識アルゴリズムを用いる必要がなく、撮像画像に基づいて被写体（着用品や付属品を含む）が形状、色合い、及び、シンボルマークのうち少なくとも何れかひとつによって分類され、このような分類結果により識別されるデータベース情報が取得され、出力されるので、被写体に関する有用な情報を迅速かつ確実にユーザに提示することができる。
【００１５】
請求項２に記載の発明は、被写体から識別情報を取得する識別情報取得手段と、所定のデータベースに保存されているデータベース情報であって、前記被写体から取得された前記識別情報により識別される前記被写体に関するデータベース情報を取得するデータベース情報取得手段と、前記データベース情報取得手段によって取得された前記データベース情報を出力する出力手段と、を備えたことを特徴とする電子機器を提供する。
【００１６】
被写体から識別情報を取得する具体的な態様には各種あり、例えば、第１に、被写体に付着されたＲＦＩＤ（Radio Frequency Identification）から識別情報（ＩＤ）を受信する態様があり、第２に、被写体に印刷あるいは付着された２次元バーコードを読み取ってデコードすることにより識別情報（ＩＤ）を取得する態様がある。これら以外の方法により被写体から識別情報を取得するようにしてもよい。
【００１７】
なお、被写体には、被写体の着用品（例えば衣装など）や付属品が含まれるものとする。すなわち、被写体から識別情報を取得する態様には、被写体の着用品に付加された識別情報や付属品に付加された識別情報を取得する場合が含まれる。
【００１８】
この発明によれば、電子機器からサーバなどの外部の装置に対して撮像画像を無線通信により転送する必要がなくなるとともに、高性能が要求される高度な画像認識アルゴリズムを用いる必要がなく、被写体から識別情報が取得され、このような識別情報により識別されるデータベース情報が取得され、出力されるので、被写体に関する有用な情報を迅速かつ確実にユーザに提示することができる。
【００１９】
請求項３に記載の発明は、請求項１又は２に記載の発明において、前記データベース情報は、前記被写体に関連する画像情報、音情報、テキスト情報、ベクタグラフィックスのアニメーション情報、又は、これらの組み合わせであることを特徴とする電子機器を提供する。
【００２０】
請求項４に記載の発明は、請求項１乃至３の何れか１項に記載の発明において、前記データベース情報を当該電子機器内の情報として保存する前記データベースとしての記憶手段を内蔵したことを特徴とする電子カメラを提供する。
【００２１】
請求項５に記載の発明は、請求項４に記載の発明において、前記記憶手段は、当該電子機器から取り出し可能な記録メディアであることを特徴とする電子機器を提供する。
【００２２】
請求項６に記載の発明は、請求項１乃至５の何れか１項に記載の発明において、特定の場所に設置されている所定の情報送信端末から前記データベース情報を受信する通信手段を備えたことを特徴とする電子機器を提供する。
【００２３】
請求項７に記載の発明は、請求項１乃至６の何れかに記載の発明において、前記被写体を撮像する撮像手段を備えた電子カメラであることを特徴とする電子機器を提供する。
【００２４】
請求項８に記載の発明は、請求項７に記載の発明において、前記撮像手段によって得られた撮像画像を前記データベース情報と関連付けて保存することを特徴とする電子機器を提供する。
【発明の効果】
【００２５】
本発明によれば、被写体に関連する有用な情報を迅速かつ確実にユーザに提示することができる。
【発明を実施するための最良の形態】
【００２６】
以下、添付図面に従って、本発明を実施するための最良の形態について詳細に説明する。
【００２７】
［第１実施形態］
図１は、本発明に係る第１実施形態の電子カメラを備えた情報システムの構成例を示すブロック図である。
【００２８】
図１において、主として、被写体３０を撮像するとともに被写体３０に関連する情報を提示する電子カメラ１、あらゆる被写体に関連する情報を管理するデータベース２１、及び、電子カメラ１に対してデータベース２１で管理している情報を送信する情報送信端末２２によって、本実施形態の情報システムが構成されている。
【００２９】
データベース２１は、本情報システムが適用された施設内のあらゆる被写体に関連する情報を管理している。
【００３０】
このように電子カメラ１の外部に存在するデータベース２１を「外部データベース」と呼ぶこともある。また、データベース２１で管理されている情報を「外部データベース情報」と呼ぶこともある。
【００３１】
例えば、テーマパークに情報システムが適用されている場合には、テーマパーク内の全てのアトラクションに関連するアトラクション情報や、テーマパークに係る全てのキャラクタに関連するキャラクタ情報など、テーマパーク内のあらゆる被写体に関連する情報がデータベース２１に蓄積されている。なお、テーマパークのアトラクションやキャラクタの具体例については後に詳説する。
【００３２】
また、例えば、情報システムが植物園に適用されている場合には、花などの植物に係る全ての植物情報（例えば、花の名前、生育地、花期、植物園のコメント、植物園に植えてから現在に至るまでの植物の状態の変化を示す画像、前年までの同種の植物の様子を示す画像、他の地で生育している同種の植物の現在の様子を示す画像、好ましい撮影方法、家庭での栽培方法、植物や種の購入方法などがある）がデータベース２１に登録されている。
【００３３】
また、例えば、遊園地であればその遊園地内の全てのアトラクション情報、水族館であれば全ての海洋生物情報及び水生生物情報、動物園であれば全ての動物情報、観光地であればその観光地内の全ての観光情報、建物であればその建物内の全ての案内情報など、各施設内の被写体に関連するあらゆる情報がデータベース２１に登録されている。
【００３４】
これらの外部データベース情報の種類としては、被写体に関連する画像情報（例えばテンプレート画像）、音情報、テキスト情報、ベクタグラフィックスのアニメーション情報、又は、これらの組み合わせが挙げられる。
【００３５】
また、外部データベース情報には、各被写体ごとに情報を識別するために、文字、記号、又は、これらの組み合わせからなる識別コード(被写体識別コード)が付与されている。
【００３６】
情報送信端末２２は、所定のネットワーク２１２を介してデータベース２１に接続されており、電子カメラ１からの要求に応じて、データベース２１内の外部データベース情報を電子カメラ１に送信する。
【００３７】
このような情報送信端末２２は、例えば、テーマパークであればテーマパーク内外の所定の位置に設置されており、植物園であれば植物園内外の所定の位置に設置されており、水族館であれば水族館内外の所定の位置に設置されており、動物園であれば動物園内外の所定の位置に設置されており、観光地であれば観光地内外の所定の位置に設置されており、建物であれば建物内外の所定の位置に設置されている。
【００３８】
電子カメラ１は、主として、撮像部２と、操作部４と、通信部５（データベース情報取得手段）と、ＣＰＵ（Central Processing Unit）６（データベース情報取得手段）と、ＲＯＭ（Read Only Memory）７と、ＲＡＭ（Random Access Memory）８と、第１モニタ１１及び第２モニタ１２ (出力手段)と、第１記録メディア１３及び第２記録メディア１４（内部データベース）が取り外し可能に接続されるメディアインタフェース１５（データベース情報取得手段）と、デジタル信号処理部６１と、分類部６２と、被写体識別部６３と、検索部６４を含んで構成されている。
【００３９】
撮像部２は、ＣＣＤ（Charge Coupled Device）等の撮像素子３を含んで構成されており、被写体を撮像して画像（以下「撮像画像」と称する）を生成する。
【００４０】
操作部４は、ユーザが操作を行うものであり、被写体の撮像を指示するシャッタボタン等の各種のボタンを含んで構成されている。操作部４は、情報検索が行われる際の検索入力にも用いられる。
【００４１】
第１モニタ１１は、ＬＣＤ（Liquid Crystal Display）等の表示装置からなり、主として撮像画像を表示する。
【００４２】
第２モニタ１２は、ＬＣＤ等の表示装置からなり、主として、被写体に関連するデータベース情報を表示する。
【００４３】
第１記録メディア１３は、メモリカード等の記録手段であり、主として、撮像部２によって得られた撮像画像を保存する。
【００４４】
第２記録メディア１４は、メモリカード等の記録手段であり、主として、データベース情報を保存する。
【００４５】
第２記録メディア１４のような電子カメラ１の内部に存在するデータベースを「内部データベース」と呼ぶこともある。また、第２記録メディア１４で管理されている情報を「内部データベース情報」と呼ぶこともある。
【００４６】
メディアインタフェース１５は、第１記録メディア１３及び第２記録メディア１４と接続されるもの（接続ポート）である。
【００４７】
メディアインタフェース１５を介して、後述のＣＰＵ６の制御により、第１記録メディア１３への撮像画像の書き込み、第１記録メディア１３からの撮像画像の読み込み（取得）、第２記録メディア１４へのデータベース情報の書き込み、及び、第２記録メディア１４からのデータベース情報の読み込み（取得）が行われる。
【００４８】
第１記録メディア１３及び第２記録メディア１４は、電子カメラ１の本体から取り出し可能である。このように記録メディア１３、１４が電子カメラ１の本体から取り出されたとき、記録メディア１３、１４とメディアインタフェース１５との接続が切断される。
【００４９】
なお、電子カメラ１が撮像画像保存用の記録メディア１３とデータベース情報保存用の記録メディア１４とを具備する場合に特に限定されるものではなく、撮像画像とデータベース情報とをひとつの記録メディアに保存するように構成してもよい。
【００５０】
通信部５は、情報送信端末２２からデータベース２１内の外部データベース情報（ただし、データベース２１が管理するあらゆる情報のうちの一部である）を受信する。
【００５１】
なお、通信部５によって情報送信端末２２から取得された外部データベース情報は、内部データベース情報として第２記録メディア１４に保存される。このような内部データベース情報としては、被写体に関連する画像情報（例えばテンプレート画像）、音情報、テキスト情報、ベクタグラフィックスのアニメーション情報、又は、これらの組み合わせが挙げられる。
【００５２】
ＣＰＵ６は、所定のプログラムに従って、電子カメラ１の各部を統括して制御する。
【００５３】
ＲＯＭ７は、ＣＰＵ６が実行するプログラムや固定データを記憶する。
【００５４】
ＲＡＭ８は、ＣＰＵ６によるプログラムの実行に必要な作業領域として用いられるほかに、撮像画像を一時的に記憶する一時記憶領域としても用いられる。
【００５５】
デジタル信号処理部６１は、撮像部２によって得られた撮像画像に対して、ホワイトバランス調整などの所定のデジタル信号処理を施す。
【００５６】
分類部６２は、撮像画像中の被写体画像（被写体自体の画像のみでなく被写体の着用品の画像や付属品の画像を含む）に基づいて、被写体(着用品や付属品を含む)を形状、色合い、シンボルマークなどの各分類項目について分類し、その分類結果としての分類情報を生成する。なお、分類情報の具体例については後に詳述する。
【００５７】
被写体識別部６３は、分類情報に基づいて被写体を識別し、被写体識別コードを特定する。
【００５８】
検索部６４は、被写体識別部６３の識別結果（被写体識別コード）に基づいて、各被写体に関連するデータベース情報を検索する。
【００５９】
なお、被写体に関連するデータベース情報を電子カメラ１が取得する具体的な態様には各種ある。
【００６０】
第１に、通信部５によって、施設内の特定の場所に設置された各々の情報送信端末２２から、その場所、展示内容、キャラクタ等を示す情報検索メニューを受信し、その情報検索メニュー及び被写体識別コードに基づいて、通信部５によって情報送信端末２２に外部データベース情報を要求し、その要求した外部データベース情報を情報送信端末２２から取得する態様がある。すなわち、情報検索メニューを用いて外部データベース情報を検索する。
【００６１】
例えば、情報検索メニューには、被写体識別コードと外部データベース情報のＵＲＬ（Uniform Resource Locator）との対応関係が示されており、被写体識別コードに対応するＵＲＬ付きのデータベース情報要求を情報送信端末２２に送信し、その要求した外部データベース情報を情報送信端末２２から受信する。このようにして情報送信端末２２から取得された外部データベース情報は、内部データベース情報として第２記録メディア１４に保存される。
【００６２】
第２に、データベース２１で管理されている外部データベース情報の中から一部を通信部５によって情報送信端末２２から予め受信して内部データベース情報として第２記録メディア１４に保存しておき、その後、被写体識別コードに基づいて、第２記録メディア１４に保存されている内部データベース情報の中から被写体に関連する情報を検索して取得する態様がある。
【００６３】
なお、撮像部２によって被写体を撮像して得られた撮像画像は、第２記録メディア１４内の当該被写体に関連する内部データベース情報と関連付けられて第１記録メディア１３に保存される。
【００６４】
次に、図１に示す第１実施形態の情報システムがテーマパークに適用された場合を例に情報システムの動作について説明する。
【００６５】
なお、データベース２１（外部データベース）は、外部データベース情報として、現在（当日）、過去（例えば過去数年分）、未来（例えば数カ月後まで）についてテーマパーク内で開催される全てのアトラクションに関するアトラクション情報や、テーマパーク内で活動する全てのキャラクタに関するキャラクタ情報を管理しているものとする。
【００６６】
テーマパーク内で開催されるアトラクションは、テーマパーク内の固定の場所で開催されるものに特に限定されず、例えばパレードのようにテーマパーク内を移動しながら開催されるものも含まれる。また、単なる飲食物の提供のみではなく人を楽しませるパフォーマンスが演じられるレストランや、単なる移動手段ではない特別の趣向を凝らした乗り物などもアトラクションに含まれる。
【００６７】
テーマパーク内で活動するキャラクタは、代表的なものとしては、架空又は実在の人物を表した人物型キャラクタ、ネズミやネコなどの人以外の動物を擬人化して表した動物型キャラクタ、木などの植物を擬人化して表した植物型キャラクタ、食べ物などの物を擬人化して表したキャラクタ、怪物等の架空のものを表したキャラクタ、ロボットのキャラクタ、特定の役割を人が演じているキャラクタなどがある。なお、テーマパーク内で活動するキャラクタの実体としては、着ぐるみ（「人体着用ぬいぐるみ」ともいう）を人が着用したものがある。人に特殊なメイクを施したものである場合もある。映画に出演したようなロボットである場合もある。特定の役割を演じている人である場合もある。このようなキャラクタに関連するキャラクタ情報は、ユーザに提示するための情報であって、キャラクタ自体に関連する情報である。着ぐるみを着用した人や特定の役割を演じている現実の人の個人情報は一般には含まれない。
【００６８】
また、アトラクション情報には、各アトラクションを識別する被写体識別コードとしてアトラクション識別コードが予め付与されており、キャラクタ情報には、各キャラクタを識別する被写体識別コードとしてキャラクタ識別コードが予め付与されている。
【００６９】
情報送信端末２２は、説明の便宜上、少なくともテーマパークの入口に設置されているものとする。ひとつのテーマパークが複数の領域に分割されている場合には、各領域の入口に設置されているものとする。なお、情報送信端末２２の設置場所は、このような入口には特に限定されず、テーマパーク内の他の場所や、テーマパークの外であってもよいことは言うまでもない。
【００７０】
また、テーマパーク内を移動するユーザは、電子カメラ１を携帯しているものとする。
【００７１】
このような第１実施形態の情報システムが適用されたテーマパークにおいて、ユーザが入口を通ると、ユーザが携帯している電子カメラ１は、各入口に設置されている情報送信端末２２から、データベース２１に管理されている外部データベース情報の一部を受信する。
【００７２】
具体的には、データベース２１で管理されている全ての外部データベース情報のうちで当日分のみが、情報送信端末２２から送信され、電子カメラ１の通信部５によって受信され、暗号化されて、電子カメラ１に収納されている第２記録メディア１４（内部データベース）に保存される。
【００７３】
入口を通ったユーザが、テーマパーク内の様々なアトラクションを楽しみながら移動し、テーマパーク内で活動しているキャラクタ３０（例えば、マジシャン等の特定の役割を演じている人、ロボット、動物型キャラクタ等）に出会い、そのキャラクタ３０を被写体として電子カメラ１の操作部４のシャッタボタンを押したとする。あるいは、ユーザがその友人又は子供とキャラクタとをツーショットの被写体としてシャッタボタンを押したとする。
【００７４】
そうすると、電子カメラ１の撮像部２によって被写体３０を撮像して得られた撮像画像は、電子カメラ１のデジタル信号処理部６１によってホワイトバランス調整などの所定のデジタル信号処理が施された後、撮像画像表示用の第１モニタ１１に表示される。
【００７５】
また、電子カメラ１の分類部６２によって、撮影画像における被写体３０（被写体の着用品を含む）の形状、色合い、シンボルマークについて分類情報が生成され、電子カメラ１の被写体識別部６３によって、分類情報に基づいてキャラクタ識別コードが特定され、検索部６４によって、キャラクタ識別コードに基づいて第２記録メディア１４から内部データベース情報が取得されて、データベース情報表示用の第２モニタ１２に表示される。すなわち、被写体３０であるキャラクタに関連する情報（キャラクタメッセージなど）がユーザに提示される。
【００７６】
被写体の形状としては、キャラクタの輪郭（外形形状）以外にも、キャラクタの着用品（例えば、帽子、衣装、靴、ネクタイ、リボンなど）の形状が挙げられる。
【００７７】
被写体の色合いとしては、キャラクタの着用品（例えば、帽子、衣装、靴、ネクタイ、リボンなど）の色が挙げられる。
【００７８】
被写体のシンボルマークとしては、例えば、キャラクタの着用品（例えば衣装）に印刷又は付着されているシンボルマーク（各キャラクタを特定する文字、図形、記号、又は、これらの組み合わせ）が挙げられる。
【００７９】
電子カメラ１の分類部６２によって生成される分類情報の例としては、各着用品の有無、各着用品の形状（例えば、帽子が丸帽子であるか三角帽子であるか）、各着用品の色（例えば帽子が黒色、赤色、緑色、黄色の何れであるか）、被写体３０の輪郭、シンボルマークの有無、シンボルマークなどが含まれる。
【００８０】
分類情報に基づいて被写体識別コードを特定する方法としては、例えば、その当日の各被写体ごとの分類情報と被写体識別コードとの対応関係を示すテーブル情報を、電子カメラ１の通信部５によって情報送信端末２２から予め受信して電子カメラ１の第２記録メディア１４に予め保存しておき、このテーブル情報に従って被写体識別コードを特定する方法がある。
【００８１】
なお、キャラクタの着用品は、同一のキャラクタであっても、そのときごとに、あるいは、テーマパーク内の各領域ごとに異なる場合があるので、当日のその領域についてのテーブル情報に基づいてキャラクタを特定する必要がある。例えば、同一の動物型キャラクタであっても、マジックショーというアトラクションでは、黒色の燕尾服を着て黒色の丸帽子を被っているが、クリスマスショーというアトラクションでは、サンタクロース風の赤色と白色からなる衣装を着てサンタクロース風の帽子を被っている場合などである。
【００８２】
また、一のキャラクタを特定できない場合、例えば同一種類の動物についてオスのキャラクタＡとメスのキャラクタＢとがあり、略同一の輪郭であって、同一の着用品を着用し、しかも、シンボルマークが撮像画像内には含まれておらず、キャラクタＡ及びキャラクタＢのうち何れかのキャラクタであることまでは特定できても、一のキャラクタを特定できない場合がある。また、複数のキャラクタが撮像画像に含まれている場合もある。このような場合には、電子カメラ１の第２モニタ１２に選択画面を表示して、どのキャラクタの情報を出力するかを電子カメラ１の操作部１によってユーザに選択させるようにしてもよい。
【００８３】
ところで、撮像画像は、第２記録メディア１４に保存されている内部データベース情報と関連付けられて第１記録メディア１３に保存される。
【００８４】
以上の説明では、被写体がキャラクタである場合を例に説明したが、テーマパーク内のその他被写体（アトラクションなど）についても同様に、電子カメラ１の分類部６２によって撮像画像に基づいて被写体（被写体の付属物を含む）を形状、色合い、シンボルマークによって分類して分類情報を生成し、電子カメラ１の被写体識別部６３によって分類情報に基づいて被写体識別コードが特定され、電子カメラ１の検索部６４によって被写体識別コードに対応する内部データベース情報が検索され、その検索結果として被写体に関連するデータベース情報が取得されて、電子カメラ２の第２モニタ１２に表示される。
【００８５】
なお、電子カメラ１で撮像画像とともに出力するキャラクタ情報、アトラクション情報などのデータベース情報は、画像情報、テキスト情報に限らず、音情報であってもよい。音情報の場合には、電子カメラ１が備える図示を省略したスピーカから出力される。また、Flash（商標）などの形式で作成されたベクタグラフィックスのアニメーション情報が出力されるようにしてもよい。
【００８６】
［第２実施形態］
図２は、本発明に係る第２実施形態の電子カメラを備えた情報システムの構成例を示すブロック図である。
【００８７】
なお、図２において、図１に示した第１実施形態の情報システムの構成要素と同じ構成要素には、同じ符号を付してある。
【００８８】
第１実施形態に係る情報システムは、主として、被写体３０を撮像するとともに被写体に関連する情報を提示する電子カメラ１、あらゆる被写体に関連する情報を管理するデータベース２１（外部データベース）、電子カメラ１に対してデータベース２１で管理している情報を送信する情報送信端末２２、及び、電子カメラ１に対して被写体３０側から被写体識別コードを送信する識別コード送信機２３を含んで構成されている。
【００８９】
データベース２１及び情報送信端末２２については、第１実施形態と略同一である。
【００９０】
識別コード送信機２３は、例えばＲＦＩＤ（Radio Frequency Identification）によって構成されており、識別コード送信機２３内に予め記憶されている被写体識別コードを、電子カメラ１に送信する。
【００９１】
このような識別コード送信機２３は、例えば、テーマパークであれば各アトラクションごとにあるいは各キャラクタごとに設置されており、植物園であれば各植物ごとに設置されており、水族館であれば各海洋生物ごと及び水生生物ごとに設置されており、動物園であれば各動物ごとに設置されており、観光地であればその観光地内の各観光スポットごとに設置されており、建物であればその建物内の各地点ごとに設置されている。
【００９２】
電子カメラ１は、主として、撮像部２と、操作部４と、通信部５（識別情報取得手段、データベース情報取得手段）と、ＣＰＵ６（データベース情報取得手段）と、ＲＯＭ７と、ＲＡＭ８と、第１モニタ１１及び第２モニタ１２ (出力手段)と、第１記録メディア１３及び第２記録メディア１４（内部データベース）が取り外し可能に接続されるメディアインタフェース１５（データベース情報取得手段）と、デジタル信号処理部６１と、検索部６４を含んで構成されている。
【００９３】
本実施形態の操作部４には、シャッタボタンのほかに、情報の取得を指示する情報取得ボタンを有する。
【００９４】
また、本実施形態の通信部５は、識別コード送信機２３から各被写体ごとの識別コード（被写体識別コード）を受信（取得）する。
【００９５】
また、本実施形態の検索部６４は、各被写体ごとに識別コード送信機２３から受信した被写体識別コードに基づいて、各被写体に関連するデータベース情報を検索する。
【００９６】
次に、テーマパークに適用された本実施形態の情報システムの動作について説明する。
【００９７】
識別コード送信機２３は、テーマパーク内で活動するキャラクタに装着されている。例えば、マジシャン等の特定の役割を人が演じている場合にはその人あるいは着用品に付着しており、着ぐるみを人が着用している場合には着ぐるみ又はそれを着用する人あるいは着用品に付着しており、ロボットの場合にはロボットに付着している。
【００９８】
ユーザにゲーム感覚の楽しさを与えるために、識別コード送信機２３は、どのような場所に設置され、あるいは、どのようなものに付着されていてもよい。識別コード送信機２３の一例として使用されるＲＦＩＤには、数ｍｍ×数ｍｍのサイズのものもあり、様々な場所に設置させることが可能であり、また、様々な物に付着させることが可能である。
【００９９】
なお、識別コード送信機２３がユーザにとって視認容易に設置されている場合には、電子カメラ１を利用して各種情報が得られることをユーザにアピールする効果がある。一方で、識別コード送信機２３がユーザにとって視認困難に設置されている場合には、そのどこにあるかわからない識別コード送信機２３により意外なタイミングで意外な情報を取得できるという楽しみをユーザに与えることが可能である。
【０１００】
このような第２実施形態の情報システムが適用されたテーマパークにおいて、ユーザが入口を通ると、ユーザが携帯している電子カメラ１は、各入口に設置されている情報送信端末２２から、データベース２１に管理されている外部データベース情報の一部を受信する。
【０１０１】
具体的には、データベース２１で管理されている全ての外部データベース情報のうちで当日分のみが、情報送信端末２２から送信され、電子カメラ１の通信部５によって受信され、暗号化されて、電子カメラ１に収納されている第２記録メディア１４（内部データベース）に保存される。
【０１０２】
入口を通ったユーザが、テーマパーク内の様々なアトラクションを楽みながら移動し、テーマパーク内で活動しているキャラクタ３０（例えば、マジシャンを演じている人、ロボット、動物型キャラクタなど）に出会ったとする。そうすると、電子カメラ１は、キャラクタ３０に装着されている識別コード送信機２３（例えば着用品に付着したもの）から、被写体識別コードとしてのキャラクタ識別コードを受信して、そのキャラクタ識別コードに対応するキャラクタ情報を表示出力する。
【０１０３】
具体的には、識別コード送信機２３から送信されたキャラクタ識別コードは、電子カメラ１の通信部５によって受信され、その識別コードに関連付けられて電子カメラ１の第２記録メディア１４（内部データベース）に保存されているキャラクタ情報（内部データベース情報）が検索され、復号化されて、電子カメラ１の第２モニタ１２に表示される。すなわち、被写体であるキャラクタ３０に関連する情報（キャラクタメッセージなど）をユーザは入手することができる。
【０１０４】
その一方で、電子カメラ１の撮像部２により撮像して得られた撮像画像は、電子カメラ１の第１モニタ１１に表示される。また、撮像画像は、第２記録メディア１４に保存されている内部データベース情報と関連づけられて第１記録メディア１３に保存される。
【０１０５】
なお、電子カメラ１が識別コードを取得するタイミングや、撮像画像及びデータベース情報を出力するタイミングには、各種ある。
【０１０６】
例えば、ユーザがキャラクタ３０を被写体として電子カメラ１の操作部４のシャッタボタンを押したとき、電子カメラ１の撮像部２により撮像して得られた撮像画像は、電子カメラ１のデジタル信号処理部６１によって所定のデジタル信号処理が施された後に撮像画像表示用の第１モニタ１１に表示され、また、電子カメラ１の通信部５によって識別コード送信機２３からキャラクタ識別コードが取得され、そのキャラクタ識別コードに対応する内部データベース情報が電子カメラ１の第２記録メディア１４から取得されて、復号化され、電子カメラ１の第２モニタ１２に表示される。
【０１０７】
また、例えば、ユーザが電子カメラ１の操作部４の情報取得ボタンを押したときには、電子カメラ１の通信部５によって識別コード送信機２３からキャラクタ識別コードが取得され、そのキャラクタ識別コードに対応する内部データベース情報が電子カメラ１の第２記録メディア１４から取得されて、復号化され、電子カメラ１の第２モニタ１２に表示される。その後、ユーザがキャラクタを被写体として電子カメラ１の操作部４のシャッタボタンを押したときには、電子カメラ１の撮像部２により撮像して得られた撮像画像は、電子カメラ１のデジタル信号処理部６１によって所定のデジタル信号処理が施された後に撮像画像表示用の第１モニタ１１に表示される。
【０１０８】
データベース情報の一部または全部が撮像画像と合成されて第１モニタ１１または第２モニタ１２に表示されるようになっていてもよい。
【０１０９】
［第３実施形態］
図３は、本発明に係る第３実施形態の電子カメラを備えた情報システムの構成例を示すブロック図である。
【０１１０】
なお、図３において、図１に示した第１実施形態の情報システム及び図２に示した第２実施形態の情報システムの構成要素と同じ構成要素には、同じ符号を付してある。
【０１１１】
図３において、情報システムは、主として、被写体３０を撮像するとともに被写体３０に関連する情報を出力する電子カメラ１、あらゆる被写体に関連する情報を管理するデータベース２１（外部データベース）、電子カメラ１にデータベース２１で管理している情報を送信する情報送信端末２２、電子カメラ１に対して被写体３０側から被写体識別コードを送信する識別コード送信機２３、及び、電子カメラ１に対して制御情報（「フォーマット」ともいう）を書き込むフォーマット書込機２４を含んで構成されている。
【０１１２】
第３実施形態において、電子カメラ１は、撮像画像に基づいて被写体３０（被写体の着用品や付属品を含む）を形状、色合い、シンボルマークのうち少なくともいずれかひとつによって分類して情報検索を行う第１の情報検索機能と、被写体３０から取得した識別コードに基づいて情報検索を行う第２の情報検索機能とを有している。
【０１１３】
フォーマット書込機２４は、電子カメラ１のＣＰＵ６が、第１の情報検索機能及び第２の情報検索機能を実行するための制御情報を、電子カメラ１の通信部５を介して、あるいは直接的に、電子カメラ１の第２記録メディア１４に書き込むものである。
【０１１４】
ここで、制御情報は、具体的には、電子カメラ１の分類部６２による分類処理や被写体識別部６３による被写体識別処理などの電子カメラ１における処理を実行するためのプログラム、又は、電子カメラ１における処理の用に供する情報であってプログラムに準ずるものである。
【０１１５】
なお、フォーマット書込機２４と電子カメラ１との通信は、無線であっても有線であってもよい。電子カメラ１の本体から取り出された第２記録メディア１４に対して直接的に制御情報を書き込んでもよい。
【０１１６】
以下、本実施形態の情報システムがテーマパークに適用された場合を例に情報システムの動作について説明する。
【０１１７】
フォーマット書込機２４は、テーマパークの所定の位置（例えばテーマパークの入口）に設置されている。
【０１１８】
電子カメラ１を携帯したユーザは、フォーマット書込機２４によって制御情報を第２記録メディアに書き込む。具体的には、フォーマット書込機２４から送信された制御情報は、電子カメラ１の通信部５によって受信され、電子カメラ１に収納されている第２記録メディア１４に書き込まれる。あるいは、電子カメラ１の本体から第２記録メディア１４を取り出してフォーマット書込機２４にセットし、フォーマット書込機２４により直接的に第２記録メディア１４に制御情報を書き込む。
【０１１９】
なお、フォーマット書込機２４は、その当日分のアトラクション及びキャラクタに関する制御情報を書き込むようになっている。
【０１２０】
このような制御情報には、第１に、撮像画像に基づいて被写体（被写体の着用品や付属品を含む）を形状、色合い、シンボルマークについて分類して分類情報を生成するために必要な情報（分類制御情報）、第２に、分類情報に基づいてキャラクタなどの被写体を識別して被写体コードを特定するために必要な情報（被写体識別制御情報）が含まれている。
【０１２１】
制御情報をフォーマット書込機２４から電子カメラ１に書き込むタイミング、及び、外部データベース情報を情報送信端末２２から電子カメラ１が取得するタイミングには、各種ある。
【０１２２】
第１の態様として、当日分の全アトラクション及び全キャラクタに関する制御情報をフォーマット書込機２４から電子カメラ１の第２記録メディア１４に書き込むときに、当日分の全アトラクション及び当日分の全キャラクタに関連する外部データベース情報を情報送信端末２２から電子カメラ１が一括して取得する態様がある。
【０１２３】
第２の態様として、まず、当日分の全アトラクション及び全キャラクタに関する制御情報をフォーマット書込機２４から電子カメラ１の第２記録メディア１４に書き込んでおき、その後、電子カメラ１から情報送信端末２２に外部データベース情報を要求して、外部データベース情報を情報送信端末２２から電子カメラ１が取得する態様などがある。
【０１２４】
また、図３においては、情報送信端末２２とフォーマット書込機２４とを別にして構成しているが、このように別にして構成してもよいし、情報送信端末２２とフォーマット書込機２４とを一体にして構成してもよい。
【０１２５】
［第４実施形態］
図４は、第４実施形態に係る情報システムの構成例を示すブロック図である。
【０１２６】
なお、図４において、図３に示した第３実施形態の情報システムの構成要素と同じ構成要素には同じ符号を付してある。
【０１２７】
第４実施形態の情報システムは、電子カメラ１、及び、情報送信端末２２によって構成されている。
【０１２８】
電子カメラは、主として、撮像部２と、操作部４と、通信部５（データベース情報取得手段）と、ＣＰＵ６（データベース情報取得手段）と、ＲＯＭ７と、ＲＡＭ８と、第１モニタ１１及び第２モニタ１２（出力手段）と、第１記録メディア１３及び第２記録メディア１４(内部データベース)が取り外し可能に接続されるメディアインタフェース１５（データベース情報取得手段）と、デジタル信号処理部６１と、検索部６４を含んで構成されている。
【０１２９】
第４実施形態の情報システムにおける電子カメラ１は、操作部４から被写体識別コードをキー入力可能に構成されている。また、撮像部２から識別コードを入力可能に構成されている。
【０１３０】
例えば、操作部４は、文字、記号、及び、図形をキー入力可能である。このような操作部４からキー入力された、文字、記号、図形、又は、これらの組み合わせによって、識別コードが形成される。
【０１３１】
また、操作部４に設けられた切替ボタン（図示を省略）により、キー入力により被写体識別コードを入力するか、あるいは、撮像部２から被写体識別コードを入力するかを切り替えるようになっている。
【０１３２】
撮像部２から識別コードを入力する具体例としては、被写体に表された文字、記号、図形又はこれらの組み合わせをＯＣＲ（Optical Character Read）により入力する方法や、被写体に表されたバーコード（たとえばＱＲコード（商標）のような二次元バーコード）を読み取ることにより入力する方法などがある。
【０１３３】
通信部５は、特定の場所に設置されている所定の情報送信端末２２から被写体に関連する特定の情報(特定情報)を受信する。例えば、IrDa（赤外線通信）や無線ＬＡＮ等により特定情報を受信する。
【０１３４】
次に、第４実施形態の情報システムにおける動作例について簡単に説明する。
【０１３５】
ユーザがテーマパークなどの施設内において特定の場所に設置されている情報送信端末２２に近づいたとき、電子カメラ１の通信部５は情報送信端末２２から被写体に関連する特定の情報（特定情報）を受信する。受信された特定情報は、第２モニタ１２に表示されるとともに第２記録メディア１４にデータベース情報として保存される。
【０１３６】
ユーザが電子カメラ１の操作部４のシャッタボタンを押したとき、撮像部２で得られた撮像画像は第１モニタ１１に表示されるとともに、第２記録メディアに保存された特定情報に関連付けられて第１記録メディア１３に保存される。
【０１３７】
また、シャッタボタンを押す前あるいはシャッタボタン押した後に、ユーザは識別コードをキー入力することができる。
【０１３８】
また、撮像部２によって、被写体に付着した識別コードを読み取ることにより、識別コードを入力することができる。
【０１３９】
なお、情報送信端末２２からデフォルトの識別コードが送信されるようになっており、そのデフォルトの識別コードでよい場合には、ユーザは識別コードを入力する必要がない。
【０１４０】
入力された識別コードは、第１記録メディア１３に保存された撮像画像及び第２記録メディア１４に保存された特定情報に付与される。情報送信端末２２から受信したデフォルトの識別コードでよい場合には、そのデフォルトの識別コードが第１記録メディア１３に保存された撮像画像及び第２記録メディア１４に保存された特定情報に付与される。
【０１４１】
その後、ユーザが操作部４を操作して撮像画像を選択すると、第２記録メディアに保存されていた撮像画像が第１モニタ１１に表示されるとともに、その撮像画像に関連付けられて第２記録メディア１４に保存されていたデータベース情報としての特定情報が第２モニタ１２に表示される。
【０１４２】
このとき識別コードをキー入力してもよい。そうすると、入力された識別コードに対応する撮像画像及びデータベース情報が表示される。
【０１４３】
［第５実施形態］
図５は、第５実施形態に係る情報システムについてその構成例を示すブロック図である。
【０１４４】
なお、図５において、図４に示した第４実施形態の情報システムの構成要素と同じ構成要素には同じ符号を付してある。
【０１４５】
第４実施形態の情報システムは、電子カメラ１及び情報送信端末２２によって構成されている。
【０１４６】
電子カメラ１は、主として、撮像部２と、操作部４と、通信部５と、ＣＰＵ６（データベース情報取得手段）と、ＲＯＭ７と、ＲＡＭ８と、第１モニタ１１及び第２モニタ１２（出力手段）と、第１記録メディア１３及び第２記録メディア１４（内部データベース）が取り出し可能に接続されるメディアインタフェース１５（データベース情報取得手段）と、デジタル信号処理部６１と、検索部６４を含んで構成されている。
【０１４７】
第５実施形態の情報システムにおける電子カメラ１は、通信部５によって、観光地や、テーマパーク、遊園地、植物園、水族館、動物園、建物などの施設内の特定の場所に設置されている情報送信端末２２から、その場所、展示内容、キャラクタ等の一覧を示す情報検索メニューを受信する。
【０１４８】
電子カメラ１の通信部５は、情報検索メニューに基づいて必要な情報を情報送信端末２２に要求し、情報送信端末２２から必要な情報（特定情報）を取得する。
【０１４９】
受信された特定情報は、第２モニタ１２に表示されるとともに第２記録メディア１４にデータベース情報として保存される。
【０１５０】
また、撮像部２で得られた撮像画像は第１モニタ１１に表示されるとともに、第２記録メディア１４に保存された特定情報に関連付けられて第１記録メディア１３に保存される。
【０１５１】
その後、ユーザが操作部４を操作して撮像画像を選択すると、第２記録メディア１４に保存されていた撮像画像が第１モニタ１１に表示されるとともに、その撮像画像に関連付けられて第２記録メディア１４に保存されていたデータベース情報としての特定情報が第２モニタ１２に表示される。
【０１５２】
このとき、撮像画像及びデータベース情報は、予め設定又は選択されているテンプレート情報に基づいて表示され、また、図示を省略したプリンタによって出力される。
【０１５３】
また、撮像部２によって、被写体に付着した識別情報を読み取ることにより、識別コードを入力することができる。検索部６４は、入力された識別コードに基づいて第２記録メディア１４に保存されているデータベース情報を検索し、検索されたデータベース情報はメディアインタフェース１５を介して取得され、第１モニタ１１などに出力される。
【０１５４】
なお、本発明に係る電子機器は、デジタルスチルカメラに特に限定されるものではなく、デジタルビデオカメラ、カメラ付き携帯端末（例えば携帯電話やゲーム機）などの各種の電子カメラに適用してもよいことは言うまでもない。
【０１５５】
また、本発明に係る電子機器は、被写体を撮像する撮像手段を備えた電子カメラに特に限定されるものではなく、撮像手段の有無に関わらず、被写体が撮像されている画像(撮像画像)を通信や記録媒体などを介して取得する取得手段を少なくとも備えた電子機器(例えば、画像プレーヤ、画像ビューワなど)であってもよい。
【０１５６】
また、本発明に係る電子機器は、ユーザが携帯する携帯端末に限定されるものではなく、デスクトップ型の電子機器であってもよく、所定の場所に固定的に設置されている電子機器であってもよい。
【０１５７】
以上、本発明の実施形態について詳細に説明したが、本発明は、本明細書において説明した例や図面に図示された例には限定されず、本発明の要旨を逸脱しない範囲において、各種の設計変更や改良を行ってよいのはもちろんである。
【図面の簡単な説明】
【０１５８】
【図１】第１実施形態に係る電子カメラの情報システムの構成例を示すブロック図である。
【図２】第２実施形態に係る電子カメラの情報システムの構成例を示すブロック図である。
【図３】第３実施形態に係る電子カメラの情報システムの構成例を示すブロック図である。
【図４】第４実施形態に係る電子カメラの情報システムの構成例を示すブロック図である。
【図５】第５実施形態に係る電子カメラの情報システムの構成例を示すブロック図である。
【符号の説明】
【０１５９】
１…電子カメラ、２…撮像部、４…操作部、５…通信部（識別情報取得手段、データベース情報取得手段）、６…ＣＰＵ（データベース情報取得手段）、１１…第１モニタ、１２…第２モニタ（出力手段）、１３…第１記録メディア、１４…第２記録メディア（内部データベース）、１５…メディアインタフェース（データベース情報取得手段）、２１…データベース（外部データベース）、２２…情報送信端末、２３…識別コード送信機、２４…フォーマット書込機、６１…デジタル信号処理部、６２…分類部、６３…被写体識別部、６４…検索部
【図１】
2006313433.tif 000003
【図２】
2006313433.tif 000004
【図３】
2006313433.tif 000005
【図４】
2006313433.tif 000006
【図５】
2006313433.tif 000007